(57)【要約】【課題】  携帯端末から取得した利用者情報を表示可能な「電子装置、携帯端末選択方法および携帯端末選択プログラム」を提供する。【解決手段】  本発明の車載装置２０は、無線通信可能なエリア内にある少なくとも１つの携帯端末と接続可能である。車載装置２０は、携帯端末の固有アドレスと当該携帯端末から取得した利用者情報とを対応付けして記憶する記憶手段と、無線通信可能なエリアの携帯端末を探索する探索手段と、探索された携帯端末の固有アドレスを取得する取得手段と、取得された固有アドレスに対応する利用者情報が記憶手段に記憶されているか否かを判定する判定手段と、利用者情報が記憶されていると判定されたとき、接続可能な携帯端末の固有アドレスと利用者情報を含む選択項目４２Ａ〜４２Ｃがリスト状に配された選択画面４０を表示する表示手段とを備える。【選択図】    図１
2015100069.tif 000002
【特許請求の範囲】
【請求項１】
無線通信可能なエリア内にある少なくとも１つの携帯端末と接続可能な電子装置であって、
前記無線通信可能なエリア内に存在する携帯端末を探索し、探索された携帯端末の固有情報を取得する取得手段と、
前記取得された固有情報を選択項目としてリスト表示した選択画面を表示する表示手段と、
ユーザーにより前記選択画面から前記選択項目が選択されたとき、当該選択項目に対応する携帯端末と接続する接続手段と、
前記接続された携帯端末から利用者情報を取得する利用者情報取得手段と、
前記利用者情報が取得されたとき、当該利用者情報を対応する固有情報に関連付けして記憶する記憶手段と、を備え、
前記表示手段は、前記取得手段により取得された固有情報に対応する利用者情報が前記記憶手段に記憶されているとき、少なくとも前記利用者情報を前記選択項目としてリスト表示する、電子装置。
【請求項２】
前記利用者情報は、前記携帯端末にインストールされたアプリケーションのアカウント情報である、請求項１に記載の電子装置。
【請求項３】
前記利用者情報取得手段は、前記接続された携帯端末にインストールされた所定のアプリケーションを起動させ、当該所定のアプリケーションからアカウント情報を取得する、請求項２に記載の電子装置。
【請求項４】
前記利用者情報取得手段は、前記接続された携帯端末にインストールされた複数のアプリケーションを起動させ、当該複数のアプリケーションからアカウント情報を取得する、請求項２に記載の電子装置。
【請求項５】
前記表示手段は、１つの固有情報に対し複数のアカウント情報が記憶されている場合、前記取得手段により探索された複数の携帯端末間で共通のアプリケーションのアカウント情報を表示する、請求項２ないし４いずれか１つに記載の電子装置。
【請求項６】
前記表示手段は、１つの固有情報に対し複数のアカウント情報が記憶されている場合、複数のアカウント情報の文字列を比較し、共通文字列を有するアカウント情報を表示する、請求項２ないし４いずれか１つに記載の電子装置。
【請求項７】
前記表示手段は、前記固有情報から特定される携帯端末のメーカー名を前記選択画面に表示する、請求項１ないし６いずれか１つに記載の電子装置。
【請求項８】
無線通信可能なエリア内の携帯端末を選択する携帯端末選択方法であって、
前記無線通信可能なエリア内に存在する携帯端末を探索し、探索された携帯端末の固有情報を取得するステップと、
前記固有情報を選択項目としてリスト表示した選択画面を表示するステップと、
ユーザーにより前記選択画面から前記選択項目が選択されたとき、当該選択項目に対応する携帯端末と接続するステップと、
前記接続された携帯端末から利用者情報を取得するステップと、
前記利用者情報が取得されたとき、当該利用者情報を対応する固有情報に関連付けして記憶するステップと、を備え、
前記選択画像を表示するステップは、取得された前記固有情報に対応する利用者情報が前記記憶するステップにより記憶されているとき、少なくとも前記利用者情報を前記選択項目としてリスト表示する、携帯端末選択方法。
【請求項９】
前記利用者情報は、前記携帯端末にインストールされたアプリケーションのアカウント情報である、請求項８に記載の携帯端末選択方法。
【請求項１０】
前記利用者情報を取得するステップは、前記接続された携帯端末にインストールされた所定のアプリケーションを起動させ、当該所定のアプリケーションからアカウント情報を取得する、請求項９に記載の携帯端末選択方法。
【請求項１１】
前記利用者情報を取得するステップは、前記接続された携帯端末にインストールされた複数のアプリケーションを起動させ、当該複数のアプリケーションからアカウント情報を取得する、請求項９に記載の携帯端末選択方法。
【請求項１２】
前記選択画面を表示するステップは、１つの固有情報に対し複数のアカウント情報が記憶されている場合、前記固有情報の取得するステップにより探索された複数の携帯端末間で共通のアプリケーションのアカウント情報を表示する、請求項９ないし１１いずれか１つに記載の携帯端末選択方法。
【請求項１３】
前記選択画面を表示するステップは、１つの固有情報に対し複数のアカウント情報が記憶されている場合、複数のアカウント情報の文字列を比較し、共通文字列を有するアカウント情報を表示する、請求項９ないし１１いずれか１つに記載の携帯端末選択方法。
【請求項１４】
前記選択画像を表示する手段は、前記固有情報から特定される携帯端末のメーカー名を前記選択画面に表示する、請求項８ないし１３いずれか１つに記載の携帯端末選択方法。
【請求項１５】
無線通信可能なエリア内の携帯端末を選択する携帯端末選択プログラムであって、
前記無線通信可能なエリア内に存在する携帯端末を探索し、探索された携帯端末の固有情報を取得するステップと、
前記固有情報を選択項目としてリスト表示した選択画面を表示するステップと、
ユーザーにより前記選択画面から前記選択項目が選択されたとき、当該選択項目に対応する携帯端末と接続するステップと、
前記接続された携帯端末から利用者情報を取得するステップと、
前記利用者情報が取得されたとき、当該利用者情報を対応する固有情報に関連付けして記憶するステップと、を備え、
前記選択画像を表示するステップは、取得された前記固有情報に対応する利用者情報が前記記憶するステップにより記憶されているとき、少なくとも前記利用者情報を前記選択項目としてリスト表示する、携帯端末選択プログラム。
【請求項１６】
前記利用者情報は、前記携帯端末にインストールされたアプリケーションのアカウント情報である、請求項１５に記載の携帯端末選択プログラム。
【請求項１７】
前記利用者情報を取得するステップは、前記接続された携帯端末にインストールされた所定のアプリケーションを起動させ、当該所定のアプリケーションからアカウント情報を取得する、請求項１６に記載の携帯端末選択プログラム。
【請求項１８】
前記利用者情報を取得するステップは、前記接続された携帯端末にインストールされた複数のアプリケーションを起動させ、当該複数のアプリケーションからアカウント情報を取得する、請求項１６に記載の携帯端末選択プログラム。
【請求項１９】
前記選択画面を表示するステップは、１つの固有情報に対し複数のアカウント情報が記憶されている場合、前記固有情報の取得するステップにより探索された複数の携帯端末間で共通のアプリケーションのアカウント情報を表示する、請求項１６ないし１８いずれか１つに記載の携帯端末選択プログラム。
【請求項２０】
前記選択画面を表示するステップは、１つの固有情報に対し複数のアカウント情報が記憶されている場合、複数のアカウント情報の文字列を比較し、共通文字列を有するアカウント情報を表示する、請求項１６ないし１８いずれか１つに記載の携帯端末選択プログラム。
【請求項２１】
前記選択画像を表示する手段は、前記固有情報から特定される携帯端末のメーカー名を前記選択画面に表示する、請求項１５ないし２０いずれか１つに記載の携帯端末選択プログラム。
【発明の詳細な説明】
【技術分野】
【０００１】
本発明は、携帯端末と電子装置との無線通信接続に関し、特に、接続可能な携帯端末の利用者情報を電子装置に表示する技術に関する。
【背景技術】
【０００２】
現在、無線ＬＡＮのホスト機能を持つ車載装置が普及している。このような車載装置が搭載された車両では、スマートフォンなどの携帯端末が車内に持ち込まれたとき、当該車載装置はその携帯端末を接続することができる。車内に複数の携帯端末が持ち込まれたとき、車載装置に特定の携帯端末を選択することが望まれる場合がある。例えば、ミラーリンクと呼ばれる接続では、携帯端末に記憶された音楽、映像、アプリケーションソフトなどを車載装置で利用することができる。また、運転者の携帯端末を車載装置にハンズフリー接続させたり、車載装置にユーザー毎の環境を設定させるような場合にも、特定の携帯端末が選択される。下記の特許文献１ないし３には、複数の通信端末から特定の通信端末を選択する技術が開示されている。
【０００３】
特許文献１は、複数の通信機器を分かり易く識別できるようにした無線通信装置に関する技術を開示している。当該無線通信装置では、周囲との無線通信を行った結果、認識された周囲の機器に固有のローカル名を付与し、このローカル名を表示することで周囲の機器の識別を容易にしている。
【０００４】
特許文献２は、Ｂｌｕeｔｏｏｔｈ（登録商標）に代表される近距離無線通信において、無線通信装置の使用者が通信相手である無線通信装置を簡単に特定できる技術を開示している。
【０００５】
特許文献３は、データ伝送可能な端末装置を探索し、その探索で見つかった端末装置の絶対的なアドレスを取得し、取得したアドレスに対応した名称が検出されたとき、その名称を表示する伝送装置を開示している。
【先行技術文献】
【特許文献】
【０００６】
【特許文献１】特開２００５−５７９０号公報
【特許文献２】特開２００４−３４３２１９号公報
【特許文献３】特許第４７２４９３２号
【発明の概要】
【発明が解決しようとする課題】
【０００７】
従来の車載装置は、無線通信可能なエリア内にある携帯端末を探索し、探索された携帯電話の識別情報としてＭＡＣ（Media Access Control）アドレスを表示する機能を備えている。ユーザーは、表示されたＭＡＣアドレスの中から特定の携帯端末に対応するＭＡＣアドレスを選択し、当該携帯端末と車載装置との接続を可能にしている。
【０００８】
図８は、従来の車載装置において、特定の携帯端末を接続する選択画面の表示例を示す図である。図８（ａ）に示す選択画面５００では、各携帯端末に対応するＭＡＣアドレスが表示され、ユーザーに接続する携帯端末の選択を要求しているが、ＭＡＣアドレスは、「Ａ１：Ｂ２：Ｃ３：ＥＢ：Ｅ１：４０」など、１２桁の１６進数により構成されるため、提示された各ＭＡＣアドレスがどの携帯端末に対応するのかユーザーにとって識別することは困難であった。
【０００９】
一方、各携帯端末を識別し易くするため、図８（ｂ）に示す選択画面５０２のように、各ＭＡＣアドレスとともに、「太郎のスマホ」などデバイス名を表示することもできる。しかしながら、従来の車載装置では、このようなデバイス名を表示させるには、ユーザーが各ＭＡＣアドレスに対して個々にデバイス名を予め入力しなければならず、煩雑な作業が必要であった。
【００１０】
本発明は、このような従来の課題を解決し、各携帯端末から取得した利用者情報を表示可能な車載装置、携帯端末選択方法および携帯端末選択プログラムを提供することを目的とする。
【課題を解決するための手段】
【００１１】
本発明に係る電子装置は、無線通信可能なエリア内にある少なくとも１つの携帯端末と接続可能な電子装置であって、前記無線通信可能なエリア内に存在する携帯端末を探索し、探索された携帯端末の固有情報を取得する取得手段と、前記取得された固有情報を選択項目としてリスト表示した選択画面を表示する表示手段と、ユーザーにより前記選択画面から前記選択項目が選択されたとき、当該選択項目に対応する携帯端末と接続する接続手段と、前記接続された携帯端末から利用者情報を取得する利用者情報取得手段と、前記利用者情報が取得されたとき、当該利用者情報を対応する固有情報に関連付けして記憶する記憶手段と、を備え、前記表示手段は、前記取得手段により取得された固有情報に対応する利用者情報が前記記憶手段に記憶されているとき、少なくとも前記利用者情報を前記選択項目としてリスト表示する。
【００１２】
好ましくは前記利用者情報は、前記携帯端末にインストールされたアプリケーションのアカウント情報である。好ましくは、前記利用者情報取得手段は、前記接続された携帯端末にインストールされた所定のアプリケーションを起動させ、当該所定のアプリケーションからアカウント情報を取得する。好ましくは前記利用者情報取得手段は、前記接続された携帯端末にインストールされた複数のアプリケーションを起動させ、当該複数のアプリケーションからアカウント情報を取得する。好ましくは前記表示手段は、１つの固有情報に対し複数のアカウント情報が記憶されている場合、前記取得手段により探索された複数の携帯端末間で共通のアプリケーションのアカウント情報を表示する。好ましくは前記表示手段は、１つの固有情報に対し複数のアカウント情報が記憶されている場合、複数のアカウント情報の文字列を比較し、共通文字列を有するアカウント情報を表示する。好ましくは、前記表示手段は、前記固有情報から特定される携帯端末のメーカー名を前記選択画面に表示する。
【００１３】
本発明に係る携帯端末接続方法は、無線通信可能なエリア内の携帯端末を選択する携帯端末選択方法であって、前記無線通信可能なエリア内に存在する携帯端末を探索し、探索された携帯端末の固有情報を取得するステップと、前記固有情報を選択項目としてリスト表示した選択画面を表示するステップと、ユーザーにより前記選択画面から前記選択項目が選択されたとき、当該選択項目に対応する携帯端末と接続するステップと、前記接続された携帯端末から利用者情報を取得するステップと、前記利用者情報が取得されたとき、当該利用者情報を対応する固有情報に関連付けして記憶するステップと、を備え、前記選択画像を表示するステップは、取得された前記固有情報に対応する利用者情報が前記記憶するステップにより記憶されているとき、少なくとも前記利用者情報を前記選択項目としてリスト表示する。
【００１４】
本発明に係る携帯端末選択プログラムは、無線通信可能なエリア内の携帯端末を選択する携帯端末選択プログラムであって、前記無線通信可能なエリア内に存在する携帯端末を探索し、探索された携帯端末の固有情報を取得するステップと、前記固有情報を選択項目としてリスト表示した選択画面を表示するステップと、ユーザーにより前記選択画面から前記選択項目が選択されたとき、当該選択項目に対応する携帯端末と接続するステップと、
前記接続された携帯端末から利用者情報を取得するステップと、前記利用者情報が取得されたとき、当該利用者情報を対応する固有情報に関連付けして記憶するステップと、を備え、前記選択画像を表示するステップは、取得された前記固有情報に対応する利用者情報が前記記憶するステップにより記憶されているとき、少なくとも前記利用者情報を前記選択項目としてリスト表示する。
【発明の効果】
【００１５】
本発明によれば、携帯端末の固有情報と当該携帯端末から取得した利用者情報とを対応付けして記憶しておき、次回に携帯端末が接続するときに、接続可能な携帯端末の利用者情報を表示させることで、ユーザーは、自身の携帯端末の選択、あるいは複数の携帯端末の中の所望の携帯端末の選択を容易にすることができる。
【図面の簡単な説明】
【００１６】
【図１】本発明の実施例に係る携帯端末選択システムの一構成例を示す図である。
【図２】本発明の実施例に係る車載装置の構成を示すブロック図である。
【図３】本実施例に係る携帯端末選択プログラムの機能の構成を示すブロック図である。
【図４】アカウント記憶手段により記憶されたアカウント情報を例示する図である。
【図５】本発明の実施例に係る携帯端末選択システムにおける携帯端末の接続動作を説明するフローチャートである。
【図６】本発明の実施例に係る携帯端末選択システムにおける接続端末の接続動作を説明するフローチャートである。
【図７】複数のアカウント情報が取得された場合のアカウント表示を説明する図である。
【図８】従来の車載装置において、特定の携帯端末を接続するための接続画面を例示する図である。
【発明を実施するための形態】
【００１７】
本発明の好ましい形態では、携帯端末選択システムは、車載装置に携帯端末が接続されたとき、携帯端末の固有情報と携帯端末から取得した利用者情報とを対応付けして記憶しておき、携帯端末が再接続されたとき、当該携帯端末の利用者情報を選択画面に表示し、複数の携帯端末の中から自分の携帯端末を容易に識別できるようにする。ここで表示される利用者情報は、携帯端末から自動的に取得されたものであり、ユーザーによる入力作業を必要としない。
【００１８】
好ましい態様では、携帯端末の固有情報は、固有アドレスであり、例えば、ネットワーク機器を識別するための装置固有の物理アドレスであるＭＡＣアドレスである。ＭＡＣアドレスは、１２桁の１６進数により構成され、前半６桁が通信端末を提供するベンダーを示し、後半６桁がその通信端末の個々を示すものである。
【００１９】
好ましい態様では、利用者情報は、携帯端末の利用者または所有者を推測ないし識別可能な情報であり、例えば、携帯端末のデバイス名、電話番号、電子メールアドレス、携帯端末にインストールされたアプリケーションソフト（例えば、車載装置用アプリケーションやＳＮＳアプリケーション等）のアカウント情報やユーザー名を含む。利用者情報は、携帯端末が車載装置に接続されたときに、携帯端末から取得される。
【００２０】
車載装置は、概して車両に搭載された電子装置であり、種々の機能を搭載することができる。例えば、車載装置は、目的地までの経路を案内するナビゲーション機能、オーディオデータやビデオデータを再生する機能、テレビ／ラジオ放送を受信する機能、無線や有線により携帯端末等の外部機器に接続する通信機能、携帯端末をハンズフリー通話可能にする機能、携帯端末の出力装置として機能するミラーリンク機能などを搭載することができる。
【００２１】
携帯端末は、多機能型携帯電話（スマートフォン）、携帯電話、タブレット型ＰＣ、モバイル型ゲーム機、その他の携帯型端末であることができる。携帯端末は、オーディオデータやビデオデータを保持、再生機能、車載装置と通信する機能、アプリケーションを搭載しこれを実行する機能などを備えることができる。車載装置は、無線ＬＡＮサーバー、携帯端末は、無線ＬＡＮクライアントであることができ、車載装置は固有情報としてのＭＡＣアドレスに基づき携帯端末を認識することができる。
【実施例】
【００２２】
次に、本発明の実施例に係る車載装置と携帯端末との接続について図面を参照して説明する。図１は、本発明の実施例に係る携帯端末選択システムの構成例を説明する。本実施例の携帯端末選択システム１０は、図１（ａ）に示すように、車両に搭載される車載装置２０と、車載装置２０が提供する無線通信可能なエリア内にある複数の携帯端末３０Ａ〜Ｃとを備え、車載装置２０は、複数の携帯端末３０Ａ〜３０Ｃの中から接続する携帯端末３０を選択することができる。
【００２３】
車載装置２０は、無線通信可能なエリアを構築するための無線ＬＡＮルータ機能を有し、当該無線通信可能なエリア内にある携帯端末３０Ａ〜３０ＣのＭＡＣアドレスを取得することができる。また、車載装置２０は、接続した携帯端末３０から利用者情報を取得することができる。利用者情報は、例えば、携帯端末３０に登録されているデバイス名、インストールされた各アプリケーションで使用するアカウント情報、電話番号、ユーザー名等を含み、携帯端末の利用者または所有者を識別するための情報である。車載装置２０は、利用者情報を取得した際、当該利用者情報をＭＡＣアドレスに対応付けし、記憶することができる。
【００２４】
図１（ｂ）は、車載装置の携帯端末選択画面を説明する図である。携帯端末選択画面４０には、各携帯端末３０Ａ〜３０Ｃに対応するユーザー選択項目４２Ａ〜４２Ｃが表示され、選択項目４２Ａ〜４２Ｃには、ＭＡＣアドレスとともに、利用者情報として、例えば、アプリケーション名「ＴｕｎｅＩｔ」と、そのアプリケーションで使用されるアカウント情報「ａｌｐｉｎｅ」などが表示される。これにより、ユーザーは、各自の携帯端末３０Ａ〜３０Ｃの使用者または所有者を容易に識別することができ、特定の携帯端末を選択することができる。
【００２５】
図２は、本発明の実施例に係る車載装置の構成例を示すブロック図である。車載装置２０は、自車位置周辺の道路地図を表示したり、目的地までの誘導経路を案内するナビゲーション部１００と、ＣＤ、ＤＶＤ、ブルーレイディスク、ハードディスク装置などから得られたオーディオデータやビデオデータを再生するマルチメディア再生部１０２と、無線通信可能なエリア内にある携帯端末を探索する携帯端末探索部１０４と、外部機器や携帯端末などを接続する接続部１０６と、ユーザーからの指示を受け取る各種スイッチやタッチパネルなどの入力部１０８と、音声出力部１１０と、ナビゲーション画面、メディア再生画面や携帯端末の選択画面などをディスプレイに表示する表示部１１２と、プログラムやデータ等を記憶する記憶部１１４と、各部を制御する制御部１１６を含んで構成される。
【００２６】
携帯端末探索部１０４は、無線通信可能なエリア内にある携帯端末を探索し、探索された携帯端末の固有情報として、例えばＭＡＣアドレスを取得する。取得されたＭＡＣアドレス情報は、制御部１１６へ提供され、図１（ｂ）に示すような選択画面４０に利用される。
【００２７】
接続部１０６は、例えば、無線ＬＡＮ、Ｗｉ−Ｆｉ（登録商標）、Ｂｌｕｅｔｏｏｔｈ（登録商標）などの各種接続方式により携帯端末等の外部機器を接続することができる。接続部１０６は、無線通信以外にも、ＵＳＢケーブル（登録商標）などを用いて携帯端末等の外部機器を接続することもできる。
【００２８】
入力部１０８は、各種スイッチやタッチパネルなど、ユーザーからの指示を受け取ることができる。本実施例では、入力部１０８は、例えば図１（ｂ）の選択画面４０において、ユーザーが選択項目４２Ａ〜４２Ｃのいずれかをタッチすることで接続する携帯端末を選択することができる。
【００２９】
音声出力部１１０は、例えばスピーカから案内音声やマルチメディア再生部１０２で再生された音声を出力する。表示部１１２は、例えば、自車の周辺地図、目的地までの案内経路を示すナビゲーション画像やＤＶＤ、テレビ放送などの再生画像、携帯端末の選択画面等をディスプレイに表示する。
【００３０】
記憶部１１４には、システム動作に必須のプログラム以外にも、ナビゲーションに必要な道路地図データ、メディア再生に必要な楽曲データなどを記憶することができる。また、本実施例では、過去に接続した携帯端末３０の固有情報とと、その携帯端末３０から取得した利用者情報とを対応付けして記憶する。
【００３１】
制御部１１６は、好ましい態様では、ＲＯＭ、ＲＡＭなどを含むマイクロコントローラから構成され、ＲＯＭまたはＲＡＭは、車載装置の各部の動作を制御するための種々のプログラムを格納することができる。さらに本実施例では、接続する携帯端末を選択する際に起動する携帯端末選択プログラム１２０が含まれる。
【００３２】
図３は、本実施例に係る携帯端末選択プログラムの機能の構成を示すブロック図である。ここでの説明は、携帯端末の固有情報としてＭＡＣアドレス、携帯端末の利用者情報としてアカウント情報を例に用いる。携帯端末選択プログラム１２０は、携帯端末探索部１０４によって探索された携帯端末からＭＡＣアドレスを取得するアドレス取得手段１２２と、携帯端末を選択するための選択画面を作成する選択画面作成手段１２４と、選択画面を介してユーザー入力された選択項目に対応する携帯端末を選択する携帯端末選択手段１２６と、接続された携帯端末からアカウント情報を取得するアカウント取得手段１２８と、取得したアカウント情報をＭＡＣアドレスに対応付けして記憶するアカウント記憶手段１３０と、ＭＡＣアドレスを取得した際、そのＭＡＣアドレスに対応するアカウント情報が記憶されているか否かを判定する判定手段１３２と、アカウント情報が記憶されていると判定されたとき、選択画面作成手段１２４にアカウント情報の作成を指示するアカウント作成指示手段１３４とを備えている。
【００３３】
携帯端末が過去に接続されたことないとき、アカウント情報が未だ取得されていないので、この場合には、アカウント記憶手段１３０には、ＭＡＣアドレスのみが記憶される。携帯端末が接続されたとき、アカウント取得手段１２８によって携帯端末のアカウント情報が取得されるので、このとき、アカウント記憶手段１３０は、アカウント情報を携帯端末のＭＡＣアドレスと関連付けして記憶する。
【００３４】
図４は、アカウント記憶手段１３０に記憶されたアカウント情報を例示する図である。アカウント記憶手段１３０には、ＭＡＣアドレス、アカウント情報、フラグ情報とが記憶される。ＭＡＣアドレスに対応するアカウント情報が記憶されていれば、フラグ情報には、例えば“１”が設定され、アカウント情報が記憶されていなければ、フラグが“０”に設定される。判定手段１３２は、このフラグ情報を参照してアカウント情報の有無を判定し、次いで、その中に該当するＭＡＣアドレスが含まれるかを判定する。図４には、例えば、ＭＡＣアドレス「Ａ１：Ｂ２：Ｃ３：Ａ８：３２：４８」とアカウント情報「ＡｌｐｉｎｅＴａｒｏ」とが対応付けして記憶され、そこにはフラグ“１”が設定されている。
【００３５】
選択画面作成手段１２４は、アカウント情報が記憶されていなければ、ＭＡＣアドレスのみの選択項目を含む選択画面を作成する。他方、判定手段１３２によってアカウント情報が記憶されていると判定された場合には、選択画面作成手段１２４は、アカウント作成指示手段１３４に応答してＭＡＣアドレスにアカウント情報を追加した選択項目を含む選択画面（図１（ｂ）を参照）を作成する。選択画面作成手段１２４によって作成された選択画面は、表示部１１２によって表示される。
【００３６】
図１（ｂ）に示す選択画面４０の選択項目４２Ａ〜４２Ｃのいずれかがユーザーによって選択されると、携帯端末選択手段１２６は、対応する携帯端末を選択する。その選択結果は接続部１０６へ提供され、接続部１０６は、携帯端末と車載装置２０とを接続する。
【００３７】
アカウント取得手段１２８は、接続部１０６により接続された携帯端末からアカウント情報を取得する。また、携帯端末３０において複数のアカウント情報が使用されている場合には、アカウント取得手段１２８は、複数のアカウント情報を取得することができる。アカウント取得手段１２８は、好ましくは携帯端末のＯＳ（operating system）に登録されたアカウント情報や携帯端末にインストールされたアプリケーションのアカウント情報を取得する。あるいは、これ以外にも携帯端末に登録されたユーザーを識別できるようなアカウント情報であってもよい。アカウント取得手段１２８は、携帯端末と接続された状態で、例えば、携帯端末に対しアカウント情報を要求するコマンドを送信し、それ応答する携帯端末からアカウント情報を取得する。あるいは、携帯端末にアプリケーションを起動させ、当該アプリケーションの仕様によって携帯端末がアカウント情報を車載装置へ送信する。あるいは、携帯端末が特定の車載装置と接続されたことを認識し、携帯端末が自発的にアカウント情報を車載装置へ提供するようにしてもよい。ここででは、利用者情報としてアカウント情報を用いるが、利用者情報は、携帯端末の利用者ないし所有者を推測または識別できるような情報であればよく、例えば、ＯＳやアプリケーションに登録されているユーザー名、携帯端末に設定されているユーザーの電話番号、携帯端末に設定されているメールアドレスなどであってもよい。
【００３８】
次に、本発明の実施例に係る車載装置における携帯端末選択動作を図５のフローチャートを参照して説明する。ここでは、携帯端末３０Ａが車載装置に初めて接続されるときの動作を説明する。
【００３９】
まず、携帯端末探索部１０６により無線通信可能なエリア内にある携帯端末が探索される（Ｓ１００）。次に、アドレス取得手段１２２は、探索された携帯端末の固有アドレスであるＭＡＣアドレスを取得する（Ｓ１０２）。取得されたＭＡＣアドレスは、アカウント記憶手段１３０によって記憶される（Ｓ１０４）。接続可能な携帯端末からＭＡＣアドレスが取得されると、選択画面作成手段１２４は、取得したＭＡＣアドレスに基づき選択画面を作成する（Ｓ１０６）。選択画面作成手段１２４は、ＭＡＣアドレスに基づき各携帯端末のベンダー名（メーカー名）を作成してもよい。ベンダー名は、ＭＡＣアドレスの上位６桁から特定することができる。作成された選択画面は、表示部１１２によってディスプレイに表示される（Ｓ１０８）。
【００４０】
選択画面には、過去に接続されたことない携帯端末であればそのＭＡＣアドレスが表示され、過去に接続されたことがある携帯端末であればそのＭＡＣアドレスとアカウント情報とが表示される。ユーザーは、選択画面に提示された選択項目から所望の携帯端末に該当する項目を選択し、これにより、携帯端末３０Ａが車載装置に接続される（Ｓ１１０）。
【００４１】
接続部１０８が携帯端末３０Ａと接続されると、アカウント取得手段１２８は、携帯端末３０Ａからアカウント情報を取得する（Ｓ１１２）。例えば、アカウント取得手段１２８は、携帯端末３０Ａに対しアカウント情報の送信を要求したり、アカウント情報が送信されるようなアプリケーションの起動を要求する。
【００４２】
アカウント情報が取得されると、アカウント記憶手段１３０は、携帯端末３０ＡのＭＡＣアドレスに関連付けしてアカウント情報を記憶し、フラグを“１”に設定する（Ｓ１１４。この一連の動作により、アカウント記憶手段１３０には、図４に示すように、接続実績のある携帯端末であれば、そのＭＡＣアドレスと対応するアカウント情報が関連付けして記憶され、接続実績のない携帯端末であれば、そのＭＡＣアドレスのみが記憶される。
【００４３】
次に、過去に接続したことがある携帯端末を接続するときの動作を図６のフローチャートを参照して説明する。先ず、携帯端末探索部１０６により無線通信可能なエリア内にある携帯端末が探索され（Ｓ２００）、アドレス取得手段１２２によって接続可能な携帯端末の固有アドレスであるＭＡＣアドレスが取得される（Ｓ２０２）。ＭＡＣアドレスが取得されると、判定手段１３２は、アカウント記憶手段１３０に記憶されたフラグ“１”のＭＡＣアドレスを検索し、該当するＭＡＣアドレスに対応するアカウント情報があるか否かを判定する（Ｓ２０４）。
【００４４】
アカウント情報が対応して記憶されていると判定されると（Ｓ２０４）、アカウント作成指示手段１３４が選択画面作成手段１２４に対し選択画面にアカウント情報を作成するように指示を与える（Ｓ２０６）。この指示に応答して、選択画面作成示手段１２４は、選択画面の選択項目にＭＡＣアドレスと並列にアカウント情報を作成する（Ｓ２０８）。アカウント情報が記憶されていなければ、選択項目へのアカウント情報の追加は行われない。すべての接続可能な携帯端末についての処理が完了すると、作成された選択画面が表示部１１２によって表示される（Ｓ２１０）。ユーザーは、選択項目に表示されたアカウント情報を参照することで、携帯端末を容易に識別し、所望の携帯端末を選択することができる（Ｓ２１２）。選択項目の選択が実行されると、接続部１０６によって選択された携帯端末が車載装置に接続される。
【００４５】
このように本実施例によれば、接続した携帯端末のＭＡＣアドレスとアカウント情報とを対応付けして記憶しておき、再度、すなわち２回目以降に携帯端末を接続する際には、アカウント情報が自動的に選択画面に表示されるので、接続可能な携帯端末が複数存在しても、携帯端末を容易に区別し、接続することができる。
【００４６】
次に、１つの携帯端末から複数のアカウント情報が取得されたときの例について説明する。アカウント取得手段１２８によって接続した携帯端末から複数のアカウント情報が取得されたとき、アカウント記憶手段１３０には、図７に示すように、１つのＭＡＣアドレスに対し、各アプリケーションＡ〜Ｄにおいて使用される複数のアカウント情報が記憶される。
【００４７】
例えば、ＭＡＣアドレス「Ａ１：Ｂ２：Ｃ３：Ａ８：３２：４８」の場合、取得された４つのアカウント情報が記憶されている。アカウント作成指示手段１３４は、４つのアカウント情報が作成されるように指示することも可能であるが、選択画面の表示スペースの制限、デザイン性、選択し易さ等の観点から全てのアカウント情報の表示が好ましいとは限らない。そこで、アカウント作成指示手段１３４は、複数のアカウント情報が取得された場合には、アカウント情報の文字列を比較し、類似性の高いアカウント情報を優先的に選択しこれを表示させる。例えば、図７の例では、先頭のＭＡＣアドレスの４つのアカウント情報の文字列を比較して、「Ｔａｒｏ」という共通の文字を含む類似性の高いグループＡを他よりも優先的に表示させるようにする。類似性の高いアカウント情報は、そのユーザーが好んで使う文字列の命名規則と看做せるので、本人にとっては分かり易い可能性が高い。
【００４８】
また、他の方法として、アカウント作成指示手段１３４は、多数の携帯端末間で共通して取得されたアプリケーションのアカウント情報を表示させるようにする。図７の例では、グループＢに示すアプリケーションＢのアカウント情報が３つの携帯端末で使用されているので、グループＢのアカウント情報を優先的に表示させるようにする。車内のユーザーに共通で使用されているサービスなので、ユーザーにとって認識し易い可能性がある。
【００４９】
グループＡまたはグループＢのようないずれの方法で表示させるかは、取得されたアカウント情報に基づき判定することができる。もし、いずれにも該当しなければ、すべてのアカウント情報を表示させるようにしてもよいし、選択項目を選択したときのサブ画面または詳細画面で表示させるようにしてもよい。
【００５０】
上記実施例では、固有情報としてＭＡＣアドレス、利用者情報としてアカウント情報を使用する例を示したが、ＭＡＣアドレスおよびアカウント情報に代えて他の情報を固有情報および利用者情報に用いてもよい。利用者情報として、例えば、ユーザー名、デバイス名、電話番号などを用いてもよい。
【００５１】
上記実施例では、利用者情報としてアカウント情報が表示可能なとき、ＭＡＣアドレスとともに、アカウント情報を表示する例を示したが、例えば、ＭＡＣアドレスに置き換えてアカウント情報のみを表示してもよい。
【００５２】
上記実施例では、アカウント情報が複数ある場合、複数のアカウント情報を取得する例を示したが、これに限らず、予め設定された特定のアプリ（「ＴｕｎｅＩｔ」など）において使用されているアカウント情報を取得してもよい。なお、設定された特定のアプリがない場合には、他のアプリからアカウント情報を取得することができる。
【００５３】
本発明は、上記実施例に限定されるものではなく、特許請求の範囲に記載された発明の要旨の範囲において、種々の変形・変更が可能である。また、本発明は、第１または第２の実施例をそれぞれ単独で実施すること、あるいは組み合わせて実施することも包含し得る。
【符号の説明】
【００５４】
１０：携帯端末選択システム              ２０：車載装置
３０Ａ、３０Ｂ、３０Ｃ：携帯端末        ４０：選択画面
４２Ａ、４２Ｂ、４２Ｃ：選択項目      １００：ナビゲーション部
１０２：マルチメディア再生部          １０４：携帯端末探索部
１０６：接続部                        １０８：入力部
１１０：音声出力部                    １１２：表示部
１１４：記憶部                        １１６：制御部
１２０：携帯端末選択プログラム        １２２：アドレス取得手段
１２４：選択画面作成手段              １２６：携帯端末選択手段
１２８：アカウント取得手段            １３０：アカウント記憶手段
１３２：判定手段                      １３４：アカウント作成指示手段
【図１】
2015100069.tif 000003
【図２】
2015100069.tif 000004
【図３】
2015100069.tif 000005
【図４】
2015100069.tif 000006
【図５】
2015100069.tif 000007
【図６】
2015100069.tif 000008
【図７】
2015100069.tif 000009
【図８】
2015100069.tif 000010